(57)【要約】  支持フランジ（９）を形成する起立リング（８）と、起立リングから中央部分（１０）まで延在するダイヤフラム（１１）とを含む基部（７）を備え、前記ダイヤフラムが外側に傾斜した位置にあることができる、プラスチック材料でできた容器（１）であって、ダイヤフラムが、起立リングに対してダイヤフラムの外側関節接合を形成する外側接合部（１２）で、起立リングに結合し、ダイヤフラムが、中央部分に対してダイヤフラムの内側関節接合を形成する内側接合部（１３）で、中央部分に結合し、ダイヤフラムが、起立リングに対して、内側に傾斜した位置まで反転可能であり、中央部分がダイヤフラムよりも大きい厚みを含み、中央部分が内側接合部に隣接するより大きい厚みの環状セクション（２１）を含み、中央部分が、環状セクションよりも薄い中央凹部（２２）を含み、かつ環状セクションの内側縁部から上方へ突出する、容器（１）。
2017519694.tif 000002
【特許請求の範囲】
【請求項１】
支持フランジ（９）を形成する起立リング（８）と、起立リング（８）から中央部分（１０）まで延在するダイヤフラム（１１）とを含む基部（７）を備え、前記ダイヤフラム（１１）が外側に傾斜した位置にあることができる、プラスチック材料でできた容器（１）であって、
ダイヤフラム（１１）が、起立リング（８）に対してダイヤフラム（１１）の外側関節接合を形成する外側接合部（１２）で、起立リング（８）に結合し、
ダイヤフラム（１１）が、中央部分（１０）に対してダイヤフラム（１１）の内側関節接合を形成する内側接合部（１３）で、中央部分（１０）に結合し、
それによって前記ダイヤフラム（１１）が、起立リング（８）に対して、内側に傾斜した位置まで反転可能であり、
中央部分（１０）がダイヤフラム（１１）よりも大きい厚みを含み、中央部分（１０）が内側接合部（１３）に隣接するより大きい厚みの環状セクション（２１）を含むことを特徴とし、中央部分（１０）が、環状セクション（２１）よりも薄い中央凹部（２２）を含み、かつ環状セクション（２１）の内側縁部から上方へ突出する、容器（１）。
【請求項２】
中央部分（１０）の全体が、ダイヤフラム（１１）よりも大きい厚みを有する、請求項１に記載の容器（１）。
【請求項３】
ダイヤフラム（１１）が厚みＴ１を含み、中央部分（１０）が、内側接合部（１３）に隣接する少なくとも環状セクション（２１）の中で、
【数１】
2017519694.tif 000005
であるような厚みＴ２を有する、請求項１または２に記載の容器（１）。
【請求項４】
ダイヤフラム（１１）が厚みＴ１を含み、内側接合部（１３）に隣接する少なくとも環状セクション（２１）の中で、
【数２】
2017519694.tif 000006
であるような、中央部分（１０）の厚みＴ２を有する、請求項１から３のいずれか一項に記載の容器（１）。
【請求項５】
起立リング（８）が、上端部が外側接合部（１２）を形成する円錐台形状の内壁（１５）を備える高い起立リング（８）であり、それによって外側に傾斜した位置で、中央部分（１０）が起立リング（８）の上方に位置する、請求項１から４のいずれか一項に記載の容器（１）。
【発明の詳細な説明】
【技術分野】
【０００１】
本発明は、一般に、プラスチック（例えばＰＥＴなど、ほとんどは熱可塑性）材料でできているプリフォームから、ブロー成形または延伸ブロー成形によって製造される、ボトルなどの容器の製造に関する。限定的ではないが、より詳細には、本発明は、高温充填容器、すなわち高温の注入可能な製品（典型的には、液体）によって充填される容器の加工に関し、「高温」という用語は、容器が作製される材料のガラス転移温度よりも製品の温度が高いことを意味する。典型的には、ＰＥＴ容器（そのガラス転移温度が約８０℃である）の高温充填が、約８５℃と約１００℃との間、典型的には９０℃に含まれる温度で製品によって実施される。
【背景技術】
【０００２】
米国特許出願公開第２００８／００４７９６４号明細書（Ｄｅｎｎｅｒら、Ｃ０２ＰＡＣに譲渡された）は、容器の底部に配置される圧力パネルを備える容器を開示する。Ｄｅｎｎｅｒによれば、圧力パネルは、外側に傾斜した位置と内側に傾斜した位置との間で移動可能であって、容器内部の圧力変化を補償する。容器がキャップを取り付けられ、冷却された後、容器内部の真空力のすべて、または部分を緩和するために、圧力パネルが機械的プッシャによって外側に傾斜した位置から移動されて、圧力パネルを内側に傾斜した位置に強制するようにする。
【０００３】
そのような容器上に実施されるテストによれば、一度内側に傾斜した位置に反転されると、圧力パネルはその位置を維持せず、容器の圧力下で戻って沈む傾向があることを示した。結局、容器が冷却された後、容器は剛性をほとんどなくしてしまい、それによって手に保持される場合、柔らかく感じられる。容器を積み重ねる、またはパレタイズする場合、下方の容器が、上方の容器の重量下で曲がる危険性があり、かつそれによって、全体のパレットが崩壊する危険性がある。
【先行技術文献】
【特許文献】
【０００４】
【特許文献１】米国特許出願公開第２００８／００４７９６４号明細書
【発明の概要】
【発明が解決しようとする課題】
【０００５】
本発明の目的は、より優れた安定性を有する容器を提案することである。
【０００６】
本発明の別の目的は、反転された位置を維持することができる反転可能なダイヤフラムを備える容器を提案することである。
【課題を解決するための手段】
【０００７】
したがって、支持フランジを形成する起立リングと、起立リングから中央部分まで延在するダイヤフラムとを含む基部を備え、前記ダイヤフラムが外側に傾斜した位置にあることができる、プラスチック材料でできた容器であって、
ダイヤフラムが、起立リングに対してダイヤフラムの外側関節接合を形成する外側接合部で、起立リングに結合し、
ダイヤフラムが、中央部分に対してダイヤフラムの内側関節接合を形成する内側接合部で、中央部分に結合し、
それによって前記ダイヤフラムが、起立リング容器に対して内側に傾斜した位置まで反転可能であり、
中央部分が、内側接合部に隣接する少なくとも環状セクションで、ダイヤフラムよりも大きい厚みを有する容器が提供される。
【０００８】
内側接合部に隣接するより大きい厚みの区分が、反転された位置で剛性を提供し、それによって、ダイヤフラムが戻って沈むことを防止する。したがって、容器内の圧力は、高値に維持され、容器に高い剛性を提供する。
【０００９】
個別に、または組み合わせて使用される様々な実施形態により、
中央部分の全体が、ダイヤフラムよりも大きい厚みを含み、
中央部分が内側接合部に隣接するより大きい厚みの環状セクションを含み、中央部分が、環状セクションよりも薄い中央凹部を含み、かつ環状セクションの内側縁部から上方へ突出し、
ダイヤフラムが厚みＴ１を含み、中央部分が、内側接合部に隣接する少なくとも環状セクションの中で、
【００１０】
【数１】
2017519694.tif 000003
であるような厚みＴ２を含み、
内側接合部に隣接する少なくとも環状セクションの中で、中央部分の厚みＴ２が、
【００１１】
【数２】
2017519694.tif 000004
であり、
起立リングが、上端部が外側接合部を形成する円錐台形状の内壁を備える高い起立リングであり、それによって外側に傾斜した位置で、中央部分が起立リングの上方に位置する。
【００１２】
本発明の上記の、および他の目的および利点が、添付の図面と併せて考察される、好適な実施形態の詳細な説明から明らかになるであろう。
【図面の簡単な説明】
【００１３】
【図１】プリフォーム（破線）と、それから形成された結果として得られる容器との両方を示す断面図である。
【図２】第１の実施形態による、ダイヤフラムの外側に傾斜した位置（実線）、およびその内側に傾斜した位置（破線）の両方で、図１のフレームＩＩ内部の容器の基部を示す拡大断面図である。
【図３】第２の実施形態を示す、図２に類似する図である。
【図４】第３の実施形態を示す、図２に類似する図である。
【図５】プリフォームから容器を製造するためのブロー成形用金型の断面図であり、この金型は後退した位置で示される移動可能な基部を含む。
【図６】プリフォームから形成された容器（実線内）および上昇した位置の金型基部を示す、図５に類似する図である。
【発明を実施するための形態】
【００１４】
図１は、高温の製品（お茶、フルーツジュースまたはスポーツドリンクなど）で充填されるために適する容器１を示す。
【００１５】
容器１は、上方に開いた円柱形ねじ付き上方部分またはネック２を含み、ネック２は、その下方端部でより大きい直径の支持カラー３の中で終端する。カラー３の下方に、容器１は、長さが短い円柱形上方端部を通ってカラー３に結合される肩部４を含む。
【００１６】
肩部４の下方に、容器１は、容器の主軸Ｘの周りに略円柱形である壁部分５を含む。図１および図２に示されるように、壁部分５は、環状補剛リブ６を含み、そうでない場合は、水平断面で見ると壁部分５を楕円形にする傾向がある応力に抵抗することができる（そのような変形は標準的であり、楕円化と呼ばれる）。
【００１７】
壁部分５の下方端部で、容器１は、容器１を閉鎖し、容器１がテーブルなどの平坦な面上に置かれることを可能にする基部７を含む。
【００１８】
容器基部７は、主軸Ｘに略垂直な平面に延在する支持フランジ９を形成する起立リング８、中央部分１０、および起立リング８から中央部分１０まで延在するダイヤフラム１１を含む。
【００１９】
ダイヤフラム１１は、外側接合部１２で起立リング８に結合し、内側接合部１３で中央部分１０に結合する。外側接合部１２および内側接合部１３の両方が、好適には湾曲している（または丸い形である）。
【００２０】
容器１は、不変のネック２、円柱壁１４Ａ、および丸い形の底部１４Ｂを含むプリフォーム１４（図１の破線の中）からブロー成形される。
【００２１】
容器１は、内側接合部１３が外側接合部１２の下方に配置される（容器１は、通常ネックを上に保持されている）外側に傾斜した位置にあるダイヤフラム１１と共にブロー成形される。ダイヤフラム１１は、厚みＴ１を有する。
【００２２】
外側接合部１２が、起立リング８に対してダイヤフラム１１の外側関節接合を形成し、内側接合部１３が、中央部分１０に対してダイヤフラム１１の内側関節接合を形成し、それによって、ダイヤフラム１１が、起立リング８に対して、外側に傾斜した位置から、内側接合部１３が内側接合部１２の上方に配置される内側に傾斜した位置（図２、図３および図４の破線内）まで反転可能である。
【００２３】
図面に示される好適な実施形態では、起立リング８は、高い起立リングであり、すなわち、起立リングは、円錐台形状内壁１５を備え、その上端部が外側接合部１２（したがって、ダイヤフラム１１による外側関節接合）を形成し、ダイヤフラム１１の外側に傾斜した位置では、中央部分１０が起立リング８の上方に位置する。
【００２４】
容器１は、少なくとも２つの部分またはシェルからできている側壁１７Ａ、１７Ｂと、上面１９を含む金型基部１８とを備えるブロー成形用金型１６の中にブロー成形され、上面１９は、支持フランジ９、内壁１５、ダイヤフラム１１および中央部分１０を含む容器基部７の反対のプリントを形成する。金型基部１８と共に側壁１７Ａ、１７Ｂが、容器１の形状を有する金型空洞２０を形成する。
【００２５】
金型基部１８は、成形される容器基部７の下に上面１９が延在する後退した位置（図５）と、上面１９が空洞を閉鎖し、ブロー成形される容器基部７のまさにその位置に延在する上昇した位置（図６）との間で、側壁１７Ａ、１７Ｂに対して移動可能である。
【００２６】
これによって、ブロー成形中に、容器基部７の材料の過度な延伸（壁部分５の材料に対して）を提供し、それによって、金型基部１８の後退した位置では、プリフォーム１４の材料が最初に容器基部７の最終的な位置を越えて延伸され、次いで金型基部１８がその上昇した位置へ移動されて、延伸された材料を上方へ押して、容器基部７の最終的な形状を形成する。したがって、延伸された材料が向上した結晶性を含み、その薄さに関わらず、良好な機械的特性を有する。
【００２７】
しかし、この場合には、中央部分１０は、内側接合部１３に隣接する（すなわち、ダイヤフラム１１との内側関節接合に隣接する）少なくとも環状セクション２１の中で（中央部分１０が厚みＴ２を有す）、過度に延伸されることから保護される。
【００２８】
これは、プリフォーム１４の特定の加熱によって達成され、プリフォーム１４は、壁１４Ａ内および底部１４Ｂの周辺部分（起立リング８およびダイヤフラム１１に対応する）内で、中央部分１０に対応する、底部１４Ｂの中央部分内よりも高い温度で加熱される。
【００２９】
そのような選択的な加熱は、正確に影響を与える加熱源を備える加熱ユニットによって実現され得る。
【００３０】
したがって、中央部分１０内で、少なくとも環状セクション２１が、ブロー成形中、および金型基部１８の上昇移動中にアモルファス状態に留まり、ダイヤフラム１１の厚みＴ１よりも大きい厚みＴ２を有す。好適な実施形態では、厚みＴ２は、Ｔ２≧１．５・Ｔ１のようになり、さらに好適には、Ｔ２≧２・Ｔ１である。
【００３１】
図１および図２に示される一実施形態では、中央部分１０の全体が、ダイヤフラム１１よりも大きい厚みを有す。図３および図４に示される代替実施形態では、環状セクション２１だけがより大きい厚みを有するが、一方、環状セクション２１の内部に配置される中央セクション２２は、環状セクション２１よりもより薄い。図３の実施形態では、中央セクション２２は平坦である。図４の実施形態では、中央セクション２２は、環状セクション２１の内側縁部から上方に突出する中央凹部を形成する。
【００３２】
容器１が製品で充填され、キャップを取り付けられた後、製品の冷却によって生成される真空を補償し、または内部圧力を上昇させるために、および壁部分５に剛性を提供するために、ダイヤフラム１１を反転することが、機械的に実現され得る（例えば、ジャッキ上に取り付けられたプッシャによって）。
【００３３】
環状セクション２１または中央部分１０の全体（図１および図２の実施形態では）が、ダイヤフラム１１が反転された位置で（図２、図３および図４の点線内）、アーチ型天井の補剛性およびロック機能を提供し、それによって、容器１の内容物が圧力下で最初の位置（すなわち、外側に傾斜した）まで戻って沈み、関節接合することが防止される。
【図１】
2017519694.tif 000007
【図２】
2017519694.tif 000008
【図３】
2017519694.tif 000009
【図４】
2017519694.tif 000010
【図５】
2017519694.tif 000011
【図６】
2017519694.tif 000012
【国際調査報告】
2017519694.tif 000013
2017519694.tif 000014